(57)【特許請求の範囲】
【請求項１】
イージーピールフィルムを有するラミネートフィルムから構成されていて、少なくとも２つの収納室が該ラミネートフィルムのイージーピールフィルム同士をシールして形成された区画シール部を介して連設された収納袋であって、
前記ラミネートフィルムの一部から成る２つの操作片が前記区画シール部を横切るように、且つ、外側に向けて突出するように設けられており、該２つの操作片を異なる方向に引っ張って前記区画シール部に剥離力を付与することによって、該剥離力に基づき該区画シール部を局部的に剥離させて該剥離箇所を通じて収納室相互を連通できるように構成され、
前記２つの操作片を前記収納袋の下辺部分に設けるとともに、前記２つの操作片の間には、前記区画シール部の一部を含む剥離制限片が該２つの操作片から連続して一体に設けられており、該剥離制限片は前記２つの操作片を異なる方向に引っ張って前記区画シール部に局部的に剥離箇所を形成するときに自らの剥離限界によって該剥離箇所の大きさを制限するように構成されている、
ことを特徴とする収納袋。
【請求項２】
イージーピールフィルムを有するラミネートフィルムから構成されていて、少なくとも２つの収納室が該ラミネートフィルムのイージーピールフィルム同士をシールして形成された区画シール部を介して連設された収納袋であって、
前記ラミネートフィルムの一部から成る２つの操作片が前記区画シール部を横切るように、且つ、外側に向けて突出するように設けられており、該２つの操作片を異なる方向に引っ張って前記区画シール部に剥離力を付与することによって、該剥離力に基づき該区画シール部を局部的に剥離させて該剥離箇所を通じて収納室相互を連通できるように構成され、
前記２つの操作片は、前記収納袋の一側面に設けられている、
ことを特徴とする収納袋。
【発明の詳細な説明】
【技術分野】
【０００１】
本発明は、少なくとも２つの収納室が区画シール部を介して連設された収納袋に関する。
【背景技術】
【０００２】
特許文献１には、仮接着部により区画された２室を備えた収納袋が開示されている。この収納袋における仮接着部は剥離強度が異なる２つの部分を有しており、２室に収納された別種の内容物に外部から圧力を加えることによって、該内容物により仮接着部の低剥離強度部分を剥離させて両内容物の混合を行うようにしている。因みに、特許文献１の段落０００９には「…仮接着部５の部分を手に持って両側に引っ張る…」ことによって仮接着部の低剥離強度部分を剥離させる旨が記載されているが、同記載の意味及び具体的な剥離方法は不明である。
【０００３】
前記収納袋では、例えば、一方の室に収納された液状物によって仮接着部の低剥離強度部分を剥離させるには、該室に外部から加えた圧力が直接的に該低剥離強度部分に付与されるように室内における液状物の流動をコントロールする必要がある。しかしながら、このようなコントロールは熟練者であっても難しい作業であるため、非熟練者にあっては、仮接着部の低剥離強度部分を的確に剥離させることは実際上難しいし、必要以上の力を収納袋に付加してしまうことによって他のシール部や収納袋自体を破損させる恐れもある。
【先行技術文献】
【特許文献】
【０００４】
【特許文献１】特開平０９−２２１１５０号公報
【発明の概要】
【発明が解決しようとする課題】
【０００５】
本発明の目的は、区画シール部を局部的に剥離させて該剥離箇所を通じて収納室相互を連通させる操作を簡単、且つ、確実に行える収納袋を提供することにある。
【課題を解決するための手段】
【０００６】
前記目的を達成するため、本発明は、イージーピールフィルムを有するラミネートフィルムから構成されていて、少なくとも２つの収納室が該ラミネートフィルムのイージーピールフィルム同士をシールして形成された区画シール部を介して連設された収納袋であって、前記ラミネートフィルムの一部から成る２つの操作片が前記区画シール部を横切るように、且つ、外側に向けて突出するように設けられており、該２つの操作片を異なる方向に引っ張って前記区画シール部に剥離力を付与することによって、該剥離力に基づき該区画シール部を局部的に剥離させて該剥離箇所を通じて収納室相互を連通できるように構成されている、ことをその特徴とする。
【０００７】
この発明によれば、ラミネートフィルム一部から成る２つの操作片が区画シール部を横切るように、且つ、外側に向けて突出するように設けられているため、該２つの操作片を異なる方向に引っ張って区画シール部に剥離力を付与することによって、該剥離力に基づき該区画シール部を局部的に剥離させ、該剥離箇所を通じて収納室相互を連通させることができる。要するに、区画シール部を局部的に剥離させて該剥離箇所を通じて収納室相互を連通させる操作を簡単、且つ、確実に行うことができる。
【発明の効果】
【０００８】
本発明によれば、区画シール部を局部的に剥離させて該剥離箇所を通じて収納室相互を連通させる操作を簡単、且つ、確実に行える収納袋を提供することができる。
【０００９】
本発明の前記目的とそれ以外の目的と、構成特徴と、作用効果は、以下の説明と添付図面によって明らかとなる。
【図面の簡単な説明】
【００１０】
【図１】図１は、本発明を適用した収納袋（第１実施形態）の斜視図である。
【図２】図２は、図１に示した収納袋を構成する２枚のラミネートフィルムの斜視図である。
【図３】図３（Ａ）は、図１に示した収納袋の横方向シール部の説明図；図３（Ｂ）は、図１に示した収納袋の要部側面図；図３（Ｃ）は、図３（Ｂ）のＣ１１線、Ｃ１２線及びＣ１３線に沿う断面図；図３（Ｄ）は、図３（Ｂ）のＤ１１線及びＤ１２線に沿う断面図である。
【図４】図４は、図１に示した収納袋の各収納室それぞれに内容物を収納した状態を示す図である。
【図５】図５（Ａ）及び図５（Ｂ）は、図１に示した収納袋の区画シール部を局部的に剥離させる操作手順を示す図である。
【図６】図６は、図１に示した収納袋の各収納室それぞれに収納された内容物を混合させる様子を示す図である。
【図７】図７は、図１に示した収納袋の部分変形例を示す収納袋の斜視図である。
【図８】図８は、図１に示した収納袋の他の部分変形例を示す収納袋の斜視図である。
【図９】図９は、本発明を適用した収納袋（第２実施形態）の斜視図である。
【図１０】図１０は、本発明を適用した収納袋（第３実施形態）の斜視図である。
【図１１】図１１は、図１０に示した収納袋を構成する２枚のラミネートフィルムの斜視図である。
【図１２】図１２（Ａ）は、図１０に示した収納袋の横方向シール部の説明図；図１２（Ｂ）は、図１０に示した収納袋の要部側面図；図１２（Ｃ）は、図１２（Ｂ）のＣ３１線、Ｃ３２線及びＣ３３線に沿う断面図；図１２（Ｄ）は、図１２（Ｂ）のＤ３１線及びＤ３２線に沿う断面図である。
【図１３】図１３は、図１０に示した収納袋の各収納室それぞれに内容物を収納した状態を示す図である。
【図１４】図１４（Ａ）及び図１４（Ｂ）は、図１０に示した収納袋の区画シール部を局部的に剥離させる操作手順を示す図である。
【図１５】図１５は、本発明を適用した収納袋（第４実施形態）の斜視図である。
【図１６】図１６は、図１５に示した収納袋を構成する２枚のラミネートフィルムの斜視図である。
【図１７】図１７（Ａ）は、図１５に示した収納袋の横方向シール部の説明図；図１７（Ｂ）は、図１５に示した収納袋の要部側面図；図１７（Ｃ）は、図１７（Ｂ）のＣ４１線、Ｃ４２線及びＣ４３線に沿う断面図；図１７（Ｄ）は、図１７（Ｂ）のＤ４１線及びＤ４２線に沿う断面図である。
【図１８】図１８は、図１５に示した収納袋の各収納室それぞれに内容物を収納した状態を示す図である。
【図１９】図１９（Ａ）及び図１９（Ｂ）は、図１５に示した収納袋の区画シール部を局部的に剥離させる操作手順を示す図である。
【図２０】図２０は、本発明を適用した収納袋（第５実施形態）の斜視図である。
【図２１】図２１は、図２０に示した収納袋を構成する２枚のラミネートフィルムの斜視図である。
【図２２】図２２（Ａ）は、図２０に示した収納袋の横方向シール部の説明図；図２２（Ｂ）は、図２０に示した収納袋の要部側面図；図２２（Ｃ）は、図２２（Ｂ）のＣ５１線、Ｃ５２線及びＣ５３線に沿う断面図；図２２（Ｄ）は、図２２（Ｂ）のＤ５１線及びＤ５２線に沿う断面図である。
【図２３】図２３は、図２０に示した収納袋の各収納室それぞれに内容物を収納した状態を示す図である。
【図２４】図２４（Ａ）及び図２４（Ｂ）は、図２０に示した収納袋の区画シール部を局部的に剥離させる操作手順を示す図である。
【発明を実施するための形態】
【００１１】
［第１実施形態］
図１〜図６は、本発明を適用した収納袋１０（第１実施形態）を示す。この収納袋１０は、イージーピールフィルムを有する２枚のラミネートフィルムＳ１１及びＳ１２（図２を参照）から構成されている。図１に示したように、収納袋１０の左辺部分と右辺部分には、前記ラミネートフィルムＳ１１及びＳ１２のイージーピールフィルム同士をヒートシールして形成された２つの縦方向シール部１１ａ及び１１ｂが設けられている。また、収納袋１０の下辺部分には、前記ラミネートフィルムＳ１１及びＳ１２のイージーピールフィルム同士をヒートシールして形成された１つの横方向シール部１１ｄが設けられている。さらに、収納袋１０には、２つの収納室１２ａ及び１２ｂが、前記ラミネートフィルムＳ１１及びＳ１２のイージーピールフィルム同士をヒートシールして形成された縦方向の区画シール部１１ｃを介して横方向に連設されている。
【００１２】
ラミネートフィルムＳ１１は、図２に示したように、縦寸法がＤ１１ａで横寸法がＤ１１ｂの矩形状の本体部分と、該本体部分の下部から成る幅寸法がＤ１１ｃの第１帯状部分Ｓ１１ａと、該第１帯状部分Ｓ１１ａの下縁から鋭角的に折り曲げられた幅寸法がＤ１１ｃの第２帯状部分Ｓ１１ｂと、該第２帯状部分Ｓ１１ｂの上縁から鋭角的に折り曲げられた幅寸法がＤ１１ｃの第３帯状部分Ｓ１１ｃと、該第３帯状部分Ｓ１１ｃの下縁から鋭角的に折り曲げられた幅寸法がＤ１１ｃの第４帯状部分Ｓ１１ｄと、該第４帯状部分Ｓ１１ｄの上縁から鋭角的に折り曲げられた幅寸法がＤ１１ｃの第５帯状部分Ｓ１１ｅとを有している。このラミネートフィルムＳ１１の本体部分は、ラミネートフィルムＳ１２と向き合う側にイージーピールフィルムを有している。
【００１３】
ラミネートフィルムＳ１２は、図２に示したように、縦寸法がＤ１２ａ（＝Ｄ１１ａ）で横寸法がＤ１２ｂ（＝Ｄ１１ｂ）の矩形状の本体部分と、該本体部分の下部から成る幅寸法がＤ１２ｃ（＝Ｄ１１ｃ）の第１帯状部分Ｓ１２ａとを有している。このラミネートフィルムＳ１２の本体部分は、ラミネートフィルムＳ１１と向き合う側にイージーピールフィルムを有している。
【００１４】
両ラミネートフィルムＳ１１及びＳ１２には、一面側に公知のイージーピールフィルムを有する公知のラミネートフィルム、例えば、（１）他面側から一面側に向けて、透明蒸着二軸延伸ポリエステルフィルムと、接着剤層と、二軸延伸ナイロンフィルムと、接着剤層と、イージーピールフィルムとが並ぶラミネートフィルムや、（２）他面側から一面側に向けて、二軸延伸ポリエステルフィルムと、接着剤層と、アルミニウム箔と、接着剤層と、二軸延伸ナイロンフィルムと、接着剤層と、イージーピールフィルムとが並ぶラミネートフィルム、等を適宜使用することができる。
【００１５】
図１に示した横方向シール部１１ｄは、図３（Ａ）に示したように、ラミネートフィルムＳ１１の第５帯状部分Ｓ１１ｅのイージーピールフィルム側の面と、ラミネートフィルムＳ１２の第１帯状部分Ｓ１２ａのイージーピールフィルム側の面とを帯状にヒートシールすること、によって形成されている。
【００１６】
また、図１に示した２つの縦方向シール部１１ａ及び１１ｂと区画シール部１１ｃは、図３（Ｂ）及び図３（Ｃ）に示したように、（１）ラミネートフィルムＳ１１の本体部分（第１帯状部分Ｓ１１ａを除く）のイージーピールフィルム側の面と、ラミネートフィルムＳ１２の本体部分（第１帯状部分Ｓ１２ａを除く）のイージーピールフィルム側の面とを部分的に帯状にヒートシールし、（２）ラミネートフィルムＳ１１の第１帯状部分Ｓ１１ａのイージーピールフィルム側の面と第２帯状部分Ｓ１１ｂのイージーピールフィルム側の面とを部分的に帯状にヒートシールし、（３）ラミネートフィルムＳ１１の第３帯状部分Ｓ１１ｃのイージーピールフィルム側の面と第４帯状部分Ｓ１１ｄのイージーピールフィルム側の面とを部分的に帯状にヒートシールすること、によって形成されている。
【００１７】
図３（Ｃ）及び図３（Ｄ）から分かるように、図１に示した収納袋１０において２つの縦方向シール部１１ａ及び１１ｂと区画シール部１１ｃが形成されていない部分にあっては、（１）ラミネートフィルムＳ１１の本体部分（第１帯状部分Ｓ１１ａを除く）のイージーピールフィルム側の面と、ラミネートフィルムＳ１２の本体部分（第１帯状部分Ｓ１２ａを除く）のイージーピールフィルム側の面とは接合しておらず、（２）ラミネートフィルムＳ１１の第１帯状部分Ｓ１１ａのイージーピールフィルム側の面と第２帯状部分Ｓ１１ｂのイージーピールフィルム側の面とは接合しておらず、（３）ラミネートフィルムＳ１１の第３帯状部分Ｓ１１ｃのイージーピールフィルム側の面と第４帯状部分Ｓ１１ｄのイージーピールフィルム側の面とは接合していない。
【００１８】
即ち、図１に示した収納袋１０にあっては、縦方向シール部１１ａと区画シール部１１ｃと横方向シール部１１ｄとによって囲まれた上縁開口（１２ａ１）の内部空間が収納室１２ａとなっており、縦方向シール部１１ｂと区画シール部１１ｃと横方向シール部１１ｄとによって囲まれた上縁開口（１２ｂ１）の内部空間が収納室１２ｂとなっている。
【００１９】
また、図１に示した収納袋１０にあっては、該収納袋１０の下辺部分に、（１）ラミネートフィルムＳ１１の第１帯状部分Ｓ１１ａと第２帯状部分Ｓ１１ｂとによって構成された帯状の操作片１３ａが区画シール部１１ｃを横切るように、且つ、外側に向けて突出するように存在し、（２）ラミネートフィルムＳ１１の第５帯状部分Ｓ１１ｅとラミネートフィルムＳ１２の第１帯状部分Ｓ１２ａとによって構成された帯状の操作片１３ｂが区画シール部１１ｃを横切るように、且つ、外側に向けて突出するように存在し、（３）２つの操作片１３ａ及び１３ｂの間に、ラミネートフィルムＳ１１の第３帯状部分Ｓ１１ｃと第４帯状部分Ｓ１１ｄとによって構成された剥離制限片１４が区画シール部１１ｃを横切るように、且つ、外側に向けて突出するように存在している。先に述べたように、両操作片１３ａ及び１３ｂは２つの縦方向シール部１１ａ及び１１ｂと区画シール部１１ｃの一部を含んでおり、また、剥離制限片１４は２つの縦方向シール部１１ａ及び１１ｂと区画シール部１１ｃの一部を含んでいる。
【００２０】
図１に示した収納袋１０は、「非利用時は混合を要せず、且つ、利用時に混合を要する」といった条件を満足する２種類の内容物Ｘ及びＹ（図４を参照）を２つの収納室１２ａ及び１２ｂに個別に収納する用途に適している。両内容物Ｘ及びＹとしては、例えば、（１）化粧水とこれを染み込ませるためのパフや、（２）２液混合タイプの毛染め剤の２液や、（３）２液混合タイプのエポキシ系接着剤等の接着剤の２液、等を挙げることができるが、「非利用時は混合を要せず、且つ、利用時に混合を要する」といった条件を満足するものであれば両内容物Ｘ及びＹに特段の制限はない。
【００２１】
収納室１２ａに内容物Ｘを収納し、且つ、収納室１２ｂに内容物Ｙを収納した後は、図４に示したように、該両収納室１２ａ及び１２ｂの開口１２ａ１及び１２ｂ１を閉じるための横方向シール部１１ｅを収納袋１０に形成する。
【００２２】
利用時に両内容物Ｘ及びＹを混合するときには、図５（Ａ）に示したように、２つの操作片１３ａ及び１３ｂを指先で把持できるように広げてから、図５（Ｂ）に示したように、該２つの操作片１３ａ及び１３ｂの好ましくは区画シール部１１ｃに近い部分を指先で把持してこれらを異なる方向に引っ張る。この引っ張りによって区画シール部１１ｃに剥離力が付与され、該剥離力に基づき該区画シール部１１ｃが局部的に剥離し、該剥離箇所１５を通じて両収納室１２ａ及び１２ｂが相互に連通する。具体的には、前記引っ張りによって区画シール部１１ｃの剥離制限片１４よりも上側部分が剥離し、且つ、該剥離制限片１４に存する区画シール部１１ｃの一部が剥離して、前記剥離箇所１５が形成される。
【００２３】
剥離制限片１４はラミネートフィルムＳ１１の第３帯状部分Ｓ１１ｃと第４帯状部分Ｓ１１ｄとによって構成されているため、該剥離制限片１４に存する区画シール部１１ｃの一部の剥離は、該剥離制限片１４自らの剥離限界、つまり、第３帯状部分Ｓ１１ｃと第４帯状部分Ｓ１１ｄが直線状になることによって制限される。要するに、剥離制限片１４は前記剥離箇所１５の大きさを制限する役目を果たすことになるため、前記２つの操作片１３ａ及び１３ｂの引っ張り方に拘わらず、該剥離箇所１５を適正な大きさとすることができる。
【００２４】
剥離箇所１５を通じて両収納室１２ａ及び１２ｂが相互に連通した後は、図６に示したように、収納袋１０を傾けることによって収納室１２ａに収納されていた内容物Ｘを剥離箇所１５を通じて収納室１２ｂに入り込ませるか、或いは、収納室１２ｂに収納されていた内容物Ｙを剥離箇所１５を通じて収納室１２ａに入り込ませることによって、両内容物Ｘ及びＹを混合させることができる。
【００２５】
両内容物Ｘ及びＹを混合させた後は、各収納室１２ａ及び１２ｂを選択的に開封することによって、混合後の両内容物Ｘ及びＹを収納室１２ａ及び１２ｂの一方から取り出すことができる。例えば、各収納室１２ａ及び１２ｂに対応した２つのノッチ（図示省略）を収納袋１０に予め設けておけば、該ノッチを利用して各収納室１２ａ及び１２ｂの選択的な開封を容易に行えると共に、混合後の両内容物Ｘ及びＹを収納室４２ａ及び４２ｂの一方から的確に取り出すことができる。
【００２６】
因みに、利用時には前記引っ張り操作によって区画シール部１１ｃを局部的に剥離できるようにし、しかも、非利用時には外部から圧力が付加されても区画シール部１１ｃが局部的に剥離することを防止できるようにするには、両内容物Ｘ及びＹの種類や利用者の年齢層を考慮の上で、区画シール部１１ｃの剥離強度を２．５〜１９．６Ｎ／１５ｍｍ、好ましくは４．９〜８．８Ｎ／１５ｍｍに設定すると良い。
【００２７】
このように、前記収納袋１０によれば、２枚のラミネートフィルムＳ１１及びＳ１２の一部から成る２つの操作片１３ａ及び１３ｂが区画シール部１１ｃを横切るように、且つ、外側に向けて突出するように設けられているため、該２つの操作片１３ａ及び１３ｂを異なる方向に引っ張って区画シール部１１ｃに剥離力を付与することによって、該剥離力に基づき該区画シール部１１ｃを局部的に剥離させ、該剥離箇所１５を通じて両収納室１２ａ及び１２ｂを相互を連通させることができる。要するに、区画シール部１１ｃを局部的に剥離させて該剥離箇所１５を通じて収納室１２ａ及び１２ｂ相互を連通させる操作を簡単、且つ、確実に行うことができる。
【００２８】
また、前記収納袋１０によれば、２つの操作片１３ａ及び１３ｂが外側に向けて突出するように、しかも、該２つの操作片１３ａ及び１３ｂが収納袋１０の下辺部分に設けられているので、前記操作を行うに際して該２つの操作片１３ａ及び１３ｂを簡単に見付けることができると共に、該２つの操作片１３ａ及び１３ｂを引っ張る操作をも容易に行うことができる。
【００２９】
さらに、前記収納袋１０によれば、２つの操作片１３ａ及び１３ｂの間に、区画シール部１１ｃの一部を含む剥離制限片１４が該２つの操作片１３ａ及び１３ｂと連続するように設けられているため、該２つの操作片１３ａ及び１３ｂを異なる方向に引っ張って該区画シール部１１ｃに局部的に剥離箇所１５を形成するときに、該剥離制限片１４自らの剥離限界によって該剥離箇所１５の大きさを制限することができる。要するに、剥離制限片１４は剥離箇所１５の大きさを制限する役目を果たすことになるため、２つの操作片１３ａ及び１３ｂの引っ張り方に拘わらず、該剥離箇所１５の大きさを適当な大きさとすることができ、これにより収納室１２ａ及び１２ｂ相互の連通を安定に行うことができる。
【００３０】
尚、図１には２つの収納室１２ａ及び１２ｂの大きさ（容積）を略同じにしたものを示したが、図７に示したように、区画シール部１１ｃの形成位置を横方向にずらせば、大きさ（容積）が異なる２つの収納室１２ａ及び１２ｂを備えた収納袋１０-1を得ることができる。
【００３１】
また、図１には２つの収納室１２ａ及び１２ｂが区画シール部１１ｃを介して横方向に連設されたものを示したが、図８に示したように、区画シール部１１ｃの数を１から２に増加すれば、３つの収納室１２ａ〜１２ｃが区画シール部１１ｃを介して横方向に連設された収納袋１０-2を得ることができる。この収納袋１０-2によれば、２つの操作片１３ａ及び１３ｂの引っ張り位置を変えることによって２つの区画シール部１１ｃに選択的に剥離箇所１５を形成することが可能であるため、隣接する２つの収納室１２ａ及び１２ｂ、或いは、収納室１２ｂ及び１２ｃのみを相互連通させることも可能である。勿論、区画シール部１１ｃの数を３以上として、４以上の収納室が該区画シール部１１ｃを介して横方向に連設された収納袋を得るようにしても良い。
【００３２】
［第２実施形態］
図９は、本発明を適用した収納袋２０（第２実施形態）を示すものであり、該収納袋２０が前記収納袋１０（第１実施形態）と異なるところは、
・２つの縦方向シール部１１ａ及び１１ｂの代わりに、２つ目の横方向シール部２１ｅが  収納袋２０の上辺部分に設けられている点
・区画シール部２１ｃと２つの横方向シール部２１ｄ及び２１ｅとによって囲まれた側縁  開口（２２ａ１及び２３ｂ１）の内部空間が２つの収納室２２ａ及び２２ｂとなってい  る点
にある。図９には２つの操作片を符号２３ａ及び２３ｂで示し、剥離制御片を符号２４で示してあるが、これらを含む他の前記収納袋１０（第１実施形態）と同じであるため、その説明を省略する。
【００３３】
この収納袋２０にあっては、収納室２２ａに内容物Ｘを収納し、且つ、収納室１２ｂに内容物Ｙを収納した後に、該両収納室２２ａ及び２２ｂの開口２２ａ１及び２２ｂ１を閉じるための２つの縦方向シール部（図示省略）が形成される。
【００３４】
このように、前記収納袋２０によれば、両収納室２２ａ及び２２ｂの開口向きが異なるものの、前記収納袋１０（第１実施形態）と同様の効果を得ることができる。
【００３５】
［第３実施形態］
図１０〜図１４は、本発明を適用した収納袋３０（第３実施形態）を示すものであり、該収納袋３０が前記収納袋１０（第１実施形態）と異なるところは、
・２つの操作片１３ａ及び１３ｂと剥離制限片１４に相当する２つの操作片３３ａ及び３  ３ｂと剥離制限片３４が、収納袋３０の一側面に設けられている点
にある。
【００３６】
この収納袋３０は、イージーピールフィルムを有する２枚のラミネートフィルムＳ３１及びＳ３２（図１１を参照）から構成されている。図１０に示したように、収納袋３０の左辺部分と右辺部分には、前記ラミネートフィルムＳ３１及びＳ３２のイージーピールフィルム同士をヒートシールして形成された２つの縦方向シール部３１ａ及び３１ｂが設けられている。また、収納袋３０の一側面の高さ方向の略中央部分には、前記ラミネートフィルムＳ３１及びＳ３２のイージーピールフィルム同士をヒートシールして形成された１つの横方向シール部３１ｄが設けられている。さらに、収納袋３０には、２つの収納室３２ａ及び３２ｂが、前記ラミネートフィルムＳ３１及びＳ３２のイージーピールフィルム同士をヒートシールして形成された縦方向の区画シール部３１ｃを介して横方向に連設されている。
【００３７】
ラミネートフィルムＳ３１は、図１１に示したように、縦寸法がＤ３１ａで横寸法がＤ３１ｂの矩形状の本体部分と、該本体部分の下縁から鋭角的に折り曲げられた矩形状の延長部分Ｓ３１’と、該延長部分Ｓ３１’の上縁から鋭角的に折り曲げられた幅寸法がＤ３１ｃの第１帯状部分Ｓ３１ａと、該第１帯状部分Ｓ３１ａの前縁から鋭角的に折り曲げられた幅寸法がＤ３１ｃの第２帯状部分Ｓ３１ｂと、該第２帯状部分Ｓ３１ｂの後縁から鋭角的に折り曲げられた幅寸法がＤ３１ｃの第３帯状部分Ｓ３１ｃと、該第３帯状部分Ｓ３１ｃの前縁から鋭角的に折り曲げられた幅寸法がＤ３１ｃの第４帯状部分Ｓ３１ｄと、該第４帯状部分Ｓ３１ｄの後縁から鋭角的に折り曲げられた幅寸法がＤ３１ｃの第５帯状部分Ｓ３１ｅとを有している。このラミネートフィルムＳ３１の本体部分は、ラミネートフィルムＳ３２と向き合う側にイージーピールフィルムを有している。
【００３８】
ラミネートフィルムＳ３２は、図１１に示したように、縦寸法がＤ３２ａ（≒Ｄ３１ａ−延長部分Ｓ３１’の縦寸法）で横寸法がＤ３２ｂ（＝Ｄ３１ｂ）の矩形状の本体部分と、該本体部分の下縁から鋭角的に折り曲げられた幅寸法がＤ３２ｃ（＝Ｄ３１ｃ）の第１帯状部分Ｓ３２ａとを有している。このラミネートフィルムＳ３２の本体部分は、ラミネートフィルムＳ３１と向き合う側にイージーピールフィルムを有している。
【００３９】
両ラミネートフィルムＳ３１及びＳ３２には、一面側に公知のイージーピールフィルムを有する公知のラミネートフィルム、例えば、（１）他面側から一面側に向けて、透明蒸着二軸延伸ポリエステルフィルムと、接着剤層と、二軸延伸ナイロンフィルムと、接着剤層と、イージーピールフィルムとが並ぶラミネートフィルムや、（２）他面側から一面側に向けて、二軸延伸ポリエステルフィルムと、接着剤層と、アルミニウム箔と、接着剤層と、二軸延伸ナイロンフィルムと、接着剤層と、イージーピールフィルムとが並ぶラミネートフィルム、等を適宜使用することができる。
【００４０】
図１０に示した横方向シール部３１ｄは、図１２（Ａ）に示したように、ラミネートフィルムＳ３１の第５帯状部分Ｓ３１ｅのイージーピールフィルム側の面と、ラミネートフィルムＳ３２の第１帯状部分Ｓ３２ａのイージーピールフィルム側の面とを帯状にヒートシールすること、によって形成されている。
【００４１】
また、図１０に示した２つの縦方向シール部３１ａ及び３１ｂと区画シール部３１ｃは、図１２（Ｂ）及び図１２（Ｃ）に示したように、（１）ラミネートフィルムＳ３１の本体部分のイージーピールフィルム側の面と延長部分Ｓ３１’のイージーピールフィルム側の面を部分的に帯状にヒートシールすると共に、ラミネートフィルムＳ３１の本体部分のイージーピールフィルム側の面とラミネートフィルムＳ３２の本体部分のイージーピールフィルム側の面とを部分的に帯状にヒートシールし、（２）ラミネートフィルムＳ３１の第１帯状部分Ｓ３１ａのイージーピールフィルム側の面と第２帯状部分Ｓ３１ｂのイージーピールフィルム側の面とを部分的に帯状にヒートシールし、（３）ラミネートフィルムＳ３１の第３帯状部分Ｓ３１ｃのイージーピールフィルム側の面と第４帯状部分Ｓ３１ｄのイージーピールフィルム側の面とを部分的に帯状にヒートシールすること、によって形成されている。
【００４２】
図１２（Ｃ）及び図１２（Ｄ）から分かるように、図１０に示した収納袋３０において２つの縦方向シール部３１ａ及び３１ｂと区画シール部３１ｃが形成されていない部分にあっては、（１）ラミネートフィルムＳ３１の本体部分のイージーピールフィルム側の面と延長部分Ｓ３１’のイージーピールフィルム側の面とは接合しておらず、且つ、ラミネートフィルムＳ３１の本体部分のイージーピールフィルム側の面とラミネートフィルムＳ３２の本体部分のイージーピールフィルム側の面とは接合しておらず、（２）ラミネートフィルムＳ３１の第１帯状部分Ｓ３１ａのイージーピールフィルム側の面と第２帯状部分Ｓ３１ｂのイージーピールフィルム側の面とは接合しておらず、（３）ラミネートフィルムＳ３１の第３帯状部分Ｓ３１ｃのイージーピールフィルム側の面と第４帯状部分Ｓ３１ｄのイージーピールフィルム側の面とは接合していない。
【００４３】
即ち、図１０に示した収納袋３０にあっては、縦方向シール部３１ａと区画シール部３１ｃとによって囲まれた上縁開口（３２ａ１）の内部空間が収納室３２ａとなっており、縦方向シール部３１ｂと区画シール部３１ｃとによって囲まれた上縁開口（３２ｂ１）の内部空間が収納室３２ｂとなっている。
【００４４】
また、図１０に示した収納袋３０にあっては、該収納袋３０の一側面の高さ方向の略中央部分に、（１）ラミネートフィルムＳ３１の第１帯状部分Ｓ３１ａと第２帯状部分Ｓ３１ｂとによって構成された帯状の操作片３３ａが区画シール部３１ｃを横切るように、且つ、外側に向けて突出するように存在し、（２）ラミネートフィルムＳ３１の第５帯状部分Ｓ３１ｅとラミネートフィルムＳ３２の第１帯状部分Ｓ３２ａとによって構成された帯状の操作片１３ｂが区画シール部３１ｃを横切るように、且つ、外側に向けて突出するように存在し、（３）２つの操作片３３ａ及び３３ｂの間に、ラミネートフィルムＳ３１の第３帯状部分Ｓ３１ｃと第４帯状部分Ｓ３１ｄとによって構成された剥離制限片３４が区画シール部３１ｃを横切るように、且つ、外側に向けて突出するように存在している。先に述べたように、両操作片３３ａ及び３３ｂは２つの縦方向シール部３１ａ及び３１ｂと区画シール部３１ｃの一部を含んでおり、また、剥離制限片３４は２つの縦方向シール部３１ａ及び３１ｂと区画シール部１１ｃの一部を含んでいる。
【００４５】
図１０に示した収納袋３０は、「非利用時は混合を要せず、且つ、利用時に混合を要する」といった条件を満足する２種類の内容物Ｘ及びＹ（図１３を参照）を２つの収納室３２ａ及び３２ｂに個別に収納する用途に適している。両内容物Ｘ及びＹとしては、例えば、（１）化粧水とこれを染み込ませるためのパフや、（２）２液混合タイプの毛染め剤の２液や、（３）２液混合タイプのエポキシ系接着剤等の接着剤の２液、等を挙げることができるが、「非利用時は混合を要せず、且つ、利用時に混合を要する」といった条件を満足するものであれば両内容物Ｘ及びＹに特段の制限はない。
【００４６】
収納室３２ａに内容物Ｘを収納し、且つ、収納室３２ｂに内容物Ｙを収納した後は、図１３に示したように、該両収納室３２ａ及び３２ｂの開口３２ａ１及び３２ｂ１を閉じるための横方向シール部３１ｅを収納袋３０に形成する。
【００４７】
利用時に両内容物Ｘ及びＹを混合するときには、図１４（Ａ）に示したように、２つの操作片３３ａ及び３３ｂを指先で把持できるように広げてから、図１４（Ｂ）に示したように、該２つの操作片３３ａ及び３３ｂの好ましくは区画シール部３１ｃに近い部分を指先で把持してこれらを異なる方向に引っ張る。この引っ張りによって区画シール部３１ｃに剥離力が付与され、該剥離力に基づき該区画シール部３１ｃが局部的に剥離し、該剥離箇所３５を通じて両収納室３２ａ及び３２ｂが相互に連通する。具体的には、前記引っ張りによって区画シール部３１ｃの各操作片３３ａ及び３３ｂよりも上側部分と下側部分が剥離し、且つ、該剥離制限片３４に存する区画シール部３１ｃの一部が剥離して、前記剥離箇所３５が形成される。
【００４８】
剥離制限片３４はラミネートフィルムＳ３１の第３帯状部分Ｓ３１ｃと第４帯状部分Ｓ３１ｄとによって構成されているため、該剥離制限片３４に存する区画シール部３１ｃの一部の剥離は、該剥離制限片３４自らの剥離限界、つまり、第３帯状部分Ｓ３１ｃと第４帯状部分Ｓ３１ｄが直線状になることによって制限される。要するに、剥離制限片３４は前記剥離箇所３５の大きさを制限する役目を果たすことになるため、前記２つの操作片３３ａ及び３３ｂの引っ張り方に拘わらず、該剥離箇所３５を適当な大きさとすることができる。
【００４９】
剥離箇所３５を通じて両収納室３２ａ及び３２ｂが相互に連通した後は、収納袋３０を傾けることによって収納室３２ａに収納されていた内容物Ｘを剥離箇所３５を通じて収納室３２ｂに入り込ませるか、或いは、収納室３２ｂに収納されていた内容物Ｙを剥離箇所３５を通じて収納室３２ａに入り込ませることによって、両内容物Ｘ及びＹを混合させることができる。
【００５０】
両内容物Ｘ及びＹを混合させた後は、各収納室３２ａ及び３２ｂを選択的に開封することによって、混合後の両内容物Ｘ及びＹを収納室３２ａ及び３２ｂの一方から取り出すことができる。例えば、各収納室３２ａ及び３２ｂに対応した２つのノッチ（図示省略）を収納袋３０に予め設けておけば、該ノッチを利用して各収納室３２ａ及び３２ｂの選択的な開封を容易に行えると共に、混合後の両内容物Ｘ及びＹを収納室３２ａ及び３２ｂの一方から的確に取り出すことができる。
【００５１】
因みに、利用時には前記引っ張り操作によって区画シール部３１ｃを局部的に剥離できるようにし、しかも、非利用時には外部から圧力が付加されても区画シール部３１ｃが局部的に剥離することを防止できるようにするには、両内容物Ｘ及びＹの種類や利用者の年齢層を考慮の上で、区画シール部３１ｃの剥離強度を２．５〜１９．６Ｎ／１５ｍｍ、好ましくは４．９〜８．８Ｎ／１５ｍｍに設定すると良い。
【００５２】
このように、前記収納袋３０によれば、２枚のラミネートフィルムＳ３１及びＳ３２の一部から成る２つの操作片３３ａ及び３３ｂが区画シール部３１ｃを横切るように、且つ、外側に向けて突出するように設けられているため、該２つの操作片３３ａ及び３３ｂを異なる方向に引っ張って区画シール部３１ｃに剥離力を付与することによって、該剥離力に基づき該区画シール部３１ｃを局部的に剥離させ、該剥離箇所３５を通じて両収納室３２ａ及び３２ｂを相互を連通させることができる。要するに、区画シール部３１ｃを局部的に剥離させて該剥離箇所３５を通じて収納室３２ａ及び３２ｂ相互を連通させる操作を簡単、且つ、確実に行うことができる。
【００５３】
また、前記収納袋３０によれば、２つの操作片３３ａ及び３３ｂが外側に向けて突出するように、しかも、該２つの操作片３３ａ及び３３ｂが収納袋３０の一側面の高さ方向の略中央部分に設けられているので、前記操作を行うに際して該２つの操作片３３ａ及び３３ｂを簡単に見付けることができると共に、該２つの操作片３３ａ及び３３ｂを引っ張る操作をも容易に行うことができる。
【００５４】
さらに、前記収納袋３０によれば、２つの操作片３３ａ及び３３ｂの間に、区画シール部３１ｃの一部を含む剥離制限片３４が該２つの操作片３３ａ及び３３ｂと連続するように設けられているため、該２つの操作片３３ａ及び３３ｂを異なる方向に引っ張って該区画シール部３１ｃに局部的に剥離箇所３５を形成するときに、該剥離制限片３４自らの剥離限界によって該剥離箇所３５の大きさを制限することができる。要するに、剥離制限片３４は剥離箇所３５の大きさを制限する役目を果たすことになるため、２つの操作片３３ａ及び３３ｂの引っ張り方に拘わらず、該剥離箇所３５を適当なの大きさとすることができ、これにより収納室３２ａ及び３２ｂ相互の連通を安定に行うことができる。
【００５５】
尚、図１０には２つの収納室３２ａ及び３２ｂの大きさ（容積）を略同じにしたものを示したが、図７に示したものと同様に、区画シール部３１ｃの形成位置を横方向にずらせば、大きさ（容積）が異なる２つの収納室３２ａ及び３２ｂを備えた収納袋を得ることができる。
【００５６】
また、図１０には２つの収納室３２ａ及び３２ｂが区画シール部３１ｃを介して横方向に連設されたものを示したが、図８に示したものと同様に、区画シール部３１ｃの数を１から２に増加すれば、３つの収納室が区画シール部３１ｃを介して横方向に連設された収納袋を得ることができる。この収納袋によれば、２つの操作片３３ａ及び３３ｂの引っ張り位置を変えることによって２つの区画シール部３１ｃに選択的に剥離箇所３５を形成することが可能であるため、隣接する２つの収納室のみを相互連通させることも可能である。勿論、区画シール部３１ｃの数を３以上として、４以上の収納室が該区画シール部３１ｃを介して横方向に連設された収納袋を得るようにしても良い。
【００５７】
［第４実施形態］
図１５〜図１９は、本発明を適用した収納袋４０（第４実施形態）を示すものであり、該収納袋４０が前記収納袋１０（第１実施形態）と異なるところは、
・２つの操作片４３ａ及び４３ｂのうち、一方の操作片４３ａが収納袋４０の一側面に設  けられ、他方の操作片４３ｂが該収納袋の他側面に設けられている点
にある。
【００５８】
この収納袋４０は、イージーピールフィルムを有する２枚のラミネートフィルムＳ４１及びＳ４２（図１６を参照）から構成されている。図１５に示したように、収納袋４０の左辺部分と右辺部分には、前記ラミネートフィルムＳ４１及びＳ４２のイージーピールフィルム同士をヒートシールして形成された２つの縦方向シール部４１ａ及び４１ｂが設けられている。また、収納袋４０の一側面の高さ方向の略中央部分には、前記ラミネートフィルムＳ４１及びＳ４２のイージーピールフィルム同士をヒートシールして形成された１つの横方向シール部４１ｄが設けられている。さらに、収納袋４０には、２つの収納室４２ａ及び４２ｂが、前記ラミネートフィルムＳ４１及びＳ４２のイージーピールフィルム同士をヒートシールして形成された縦方向の区画シール部４１ｃを介して横方向に連設されている。
【００５９】
ラミネートフィルムＳ４１は、図１６に示したように、縦寸法がＤ４１ａで横寸法がＤ４１ｂの矩形状の第１本体部分と、該第１本体部分の下縁から鋭角的に折り曲げられた幅寸法がＤ４１ｃの第１帯状部分Ｓ４１ａと、該第１帯状部分Ｓ４１ａの後縁から鋭角的に折り曲げられた幅寸法がＤ４１ｃの第２帯状部分Ｓ４１ｂと、第２帯状部分Ｓ４１ｂの前縁から鋭角的に折り曲げられた縦寸法がＤ４１ａで横寸法がＤ４１ｂの矩形状の第２本体部分と、該第２本体部分の下縁から鋭角的に折り曲げられた矩形状の延長部分Ｓ４１’と、該延長部分Ｓ４１’の上縁から鋭角的に折り曲げられた幅寸法がＤ４１ｃの第３帯状部分Ｓ４１ａとを有している。このラミネートフィルムＳ４１の第１本体部分及び第２本体部分は、ラミネートフィルムＳ４２と向き合う側にイージーピールフィルムを有している。
【００６０】
ラミネートフィルムＳ４２は、図１６に示したように、縦寸法がＤ４２ａ（≒Ｄ４１ａ）で横寸法がＤ４２ｂ（＝Ｄ４１ｂ）の矩形状の本体部分と、該本体部分の下縁から鋭角的に折り曲げられた幅寸法がＤ４２ｃ（＝Ｄ４１ｃ）の第１帯状部分Ｓ４２ａとを有している。このラミネートフィルムＳ４２の本体部分は、ラミネートフィルムＳ３１と向き合う側にイージーピールフィルムを有している。
【００６１】
両ラミネートフィルムＳ４１及びＳ４２には、一面側に公知のイージーピールフィルムを有する公知のラミネートフィルム、例えば、（１）他面側から一面側に向けて、透明蒸着二軸延伸ポリエステルフィルムと、接着剤層と、二軸延伸ナイロンフィルムと、接着剤層と、イージーピールフィルムとが並ぶラミネートフィルムや、（２）他面側から一面側に向けて、二軸延伸ポリエステルフィルムと、接着剤層と、アルミニウム箔と、接着剤層と、二軸延伸ナイロンフィルムと、接着剤層と、イージーピールフィルムとが並ぶラミネートフィルム、等を適宜使用することができる。
【００６２】
図１５に示した横方向シール部４１ｄは、図１７（Ａ）に示したように、ラミネートフィルムＳ４１の第３帯状部分Ｓ４１ｃのイージーピールフィルム側の面と、ラミネートフィルムＳ４２の第１帯状部分Ｓ４２ａのイージーピールフィルム側の面とを帯状にヒートシールすること、によって形成されている。
【００６３】
また、図１５に示した２つの縦方向シール部４１ａ及び４１ｂと区画シール部４１ｃは、図１７（Ｂ）及び図１７（Ｃ）に示したように、（１）ラミネートフィルムＳ４１の第２本体部分のイージーピールフィルム側の面と延長部分Ｓ４１’のイージーピールフィルム側の面を部分的に帯状にヒートシールすると共に、ラミネートフィルムＳ４１の第１本体部分のイージーピールフィルム側の面とラミネートフィルムＳ４２の本体部分のイージーピールフィルム側の面とを部分的に帯状にヒートシールし、（２）ラミネートフィルムＳ４１の第１帯状部分Ｓ４１ａのイージーピールフィルム側の面と第２帯状部分Ｓ４１ｂのイージーピールフィルム側の面とを部分的に帯状にヒートシールすること、によって形成されている。
【００６４】
図１７（Ｃ）及び図１７（Ｄ）から分かるように、図１５に示した収納袋４０において２つの縦方向シール部４１ａ及び４１ｂと区画シール部４１ｃが形成されていない部分にあっては、（１）ラミネートフィルムＳ４１の第２本体部分のイージーピールフィルム側の面と延長部分Ｓ４１’のイージーピールフィルム側の面とは接合しておらず、且つ、ラミネートフィルムＳ４１の第１本体部分のイージーピールフィルム側の面とラミネートフィルムＳ４２の本体部分のイージーピールフィルム側の面とは接合しておらず、（２）ラミネートフィルムＳ４１の第１帯状部分Ｓ４１ａのイージーピールフィルム側の面と第２帯状部分Ｓ４１ｂのイージーピールフィルム側の面とは接合していない。
【００６５】
即ち、図１５に示した収納袋４０にあっては、縦方向シール部４１ａと区画シール部４１ｃとによって囲まれた上縁開口（４２ａ１）の内部空間が収納室４２ａとなっており、縦方向シール部４１ｂと区画シール部４１ｃとによって囲まれた上縁開口（４２ｂ１）の内部空間が収納室４２ｂとなっている。
【００６６】
また、図１５に示した収納袋４０にあっては、（１）該収納袋４０の一側面の高さ方向の略中央部分に、ラミネートフィルムＳ４１の第１帯状部分Ｓ４１ａと第２帯状部分Ｓ４１ｂとによって構成された帯状の操作片４３ａが区画シール部４１ｃを横切るように、且つ、外側に向けて突出するように存在し、（２）該収納袋４０の他側面の高さ方向の略中央部分に、ラミネートフィルムＳ４１の第３帯状部分Ｓ４１ｃとラミネートフィルムＳ４２の第１帯状部分Ｓ４２ａとによって構成された帯状の操作片４３ｂが区画シール部４１ｃを横切るように、且つ、外側に向けて突出するように存在している。先に述べたように、両操作片４３ａ及び４３ｂは２つの縦方向シール部４１ａ及び４１ｂと区画シール部４１ｃの一部を含んでいる。
【００６７】
図１５に示した収納袋４０は、「非利用時は混合を要せず、且つ、利用時に混合を要する」といった条件を満足する２種類の内容物Ｘ及びＹ（図１８を参照）を２つの収納室４２ａ及び４２ｂに個別に収納する用途に適している。両内容物Ｘ及びＹとしては、例えば、（１）化粧水とこれを染み込ませるためのパフや、（２）２液混合タイプの毛染め剤の２液や、（３）２液混合タイプのエポキシ系接着剤等の接着剤の２液、等を挙げることができるが、「非利用時は混合を要せず、且つ、利用時に混合を要する」といった条件を満足するものであれば両内容物Ｘ及びＹに特段の制限はない。
【００６８】
収納室４２ａに内容物Ｘを収納し、且つ、収納室４２ｂに内容物Ｙを収納した後は、図１８に示したように、該両収納室４２ａ及び４２ｂの開口４２ａ１及び４２ｂ１を閉じるための横方向シール部４１ｅを収納袋４０に形成する。
【００６９】
利用時に両内容物Ｘ及びＹを混合するときには、図１９（Ａ）に示したように、２つの操作片４３ａ及び４３ｂを指先で把持できるように広げてから、図１９（Ｂ）に示したように、該２つの操作片４３ａ及び４３ｂの好ましくは区画シール部４１ｃに近い部分を指先で把持してこれらを異なる方向に引っ張る。この引っ張りによって区画シール部４１ｃに剥離力が付与され、該剥離力に基づき該区画シール部４１ｃが局部的に剥離し、該剥離箇所４５を通じて両収納室４２ａ及び４２ｂが相互に連通する。具体的には、前記引っ張りによって区画シール部４１ｃの各操作片４３ａ及び４３ｂよりも上側部分と下側部分が剥離して、前記剥離箇所４５が形成される。
【００７０】
剥離箇所４５を通じて両収納室４２ａ及び４２ｂが相互に連通した後は、収納袋４０を傾けることによって収納室４２ａに収納されていた内容物Ｘを剥離箇所４５を通じて収納室４２ｂに入り込ませるか、或いは、収納室４２ｂに収納されていた内容物Ｙを剥離箇所４５を通じて収納室３２ａに入り込ませることによって、両内容物Ｘ及びＹを混合させることができる。
【００７１】
両内容物Ｘ及びＹを混合させた後は、各収納室４２ａ及び４２ｂを選択的に開封することによって、混合後の両内容物Ｘ及びＹを収納室４２ａ及び４２ｂの一方から取り出すことができる。例えば、各収納室４２ａ及び４２ｂに対応した２つのノッチ（図示省略）を収納袋３０に予め設けておけば、該ノッチを利用して各収納室４２ａ及び４２ｂの選択的な開封を容易に行えると共に、混合後の両内容物Ｘ及びＹを収納室４２ａ及び４２ｂの一方から的確に取り出すことができる。
【００７２】
因みに、利用時には前記引っ張り操作によって区画シール部４１ｃを局部的に剥離できるようにし、しかも、非利用時には外部から圧力が付加されても区画シール部４１ｃが局部的に剥離することを防止できるようにするには、両内容物Ｘ及びＹの種類や利用者の年齢層を考慮の上で、区画シール部３１ｃの剥離強度を２．５〜１９．６Ｎ／１５ｍｍ、好ましくは４．９〜８．８Ｎ／１５ｍｍに設定すると良い。
【００７３】
このように、前記収納袋４０によれば、２枚のラミネートフィルムＳ４１及びＳ４２の一部から成る２つの操作片４３ａ及び４３ｂが区画シール部４１ｃを横切るように、且つ、外側に向けて突出するように設けられているため、該２つの操作片４３ａ及び４３ｂを異なる方向に引っ張って区画シール部４１ｃに剥離力を付与することによって、該剥離力に基づき該区画シール部４１ｃを局部的に剥離させ、該剥離箇所４５を通じて両収納室４２ａ及び４２ｂを相互を連通させることができる。要するに、区画シール部４１ｃを局部的に剥離させて該剥離箇所４５を通じて収納室４２ａ及び４２ｂ相互を連通させる操作を簡単、且つ、確実に行うことができる。
【００７４】
また、前記収納袋４０によれば、２つの操作片４３ａ及び４３ｂが外側に向けて突出するように、しかも、操作片４３ａが収納袋４０の一側面に設けられ、且つ、操作片４３ｂが該収納袋４０の他側面に設けられているので、前記操作を行うに際して該２つの操作片４３ａ及び４３ｂを簡単に見付けることができると共に、該２つの操作片４３ａ及び４３ｂを引っ張る操作をも容易に行うことができる。
【００７５】
尚、図１５には２つの収納室４２ａ及び４２ｂの大きさ（容積）を略同じにしたものを示したが、図７に示したものと同様に、区画シール部４１ｃの形成位置を横方向にずらせば、大きさ（容積）が異なる２つの収納室４２ａ及び４２ｂを備えた収納袋を得ることができる。
【００７６】
また、図１５には２つの収納室４２ａ及び４２ｂが区画シール部４１ｃを介して横方向に連設されたものを示したが、図８に示したものと同様に、区画シール部４１ｃの数を１から２に増加すれば、３つの収納室が区画シール部４１ｃを介して横方向に連設された収納袋を得ることができる。この収納袋によれば、２つの操作片４３ａ及び４３ｂの引っ張り位置を変えることによって２つの区画シール部４１ｃに選択的に剥離箇所４５を形成することが可能であるため、隣接する２つの収納室のみを相互連通させることも可能である。勿論、区画シール部４１ｃの数を３以上として、４以上の収納室が該区画シール部４１ｃを介して横方向に連設された収納袋を得るようにしても良い。
【００７７】
［第５実施形態］
図２０〜図２４は、本発明を適用した収納袋５０（第５実施形態）を示すものであり、該収納袋５０が前記収納袋１０（第１実施形態）と異なるところは、
・収納袋５０が３枚のラミネートフィルムＳ５１、Ｓ５２及びＳ５２（図２１を参照）か  ら構成されている点
にある。
【００７８】
この収納袋５０は、イージーピールフィルムを有する３枚のラミネートフィルムＳ５１、Ｓ５２及びＳ５３（図２１を参照）から構成されている。図２０に示したように、収納袋５０の左辺部分と右辺部分には、前記ラミネートフィルムＳ５１、Ｓ５２及びＳ５３のイージーピールフィルム同士をヒートシールして形成された２つの縦方向シール部５１ａ及び５１ｂが設けられている。また、収納袋５０の下辺部分には、前記ラミネートフィルムＳ５１、Ｓ５２及びＳ５３のイージーピールフィルム同士をヒートシールして形成された２つの横方向シール部５１ｄが設けられている。さらに、収納袋５０には、２つの収納室５２ａ及び５２ｂが、前記ラミネートフィルムＳ５１、Ｓ５２及びＳ５３のイージーピールフィルム同士をヒートシールして形成された縦方向の区画シール部５１ｃを介して横方向に連設されている。
【００７９】
ラミネートフィルムＳ５１は、図２１に示したように、縦寸法がＤ５１ａで横寸法がＤ５１ｂの矩形状の本体部分と、該本体部分の下部から成る幅寸法がＤ５１ｃの第１帯状部分Ｓ５１ａとを有している。このラミネートフィルムＳ５１の本体部分は、ラミネートフィルムＳ５２と向き合う側にイージーピールフィルムを有している。
【００８０】
ラミネートフィルムＳ５２は、図２１に示したように、縦寸法がＤ５２ａ（＝Ｄ５１ａ）で横寸法がＤ５２ｂ（＝Ｄ５１ｂ）の矩形状の本体部分と、該本体部分の下部から成る幅寸法がＤ５２ｃ（＝Ｄ５１ｃ）の第１帯状部分Ｓ５２ａとを有している。このラミネートフィルムＳ５２の本体部分は、ラミネートフィルムＳ５１と向き合う側にイージーピールフィルムを有している。
【００８１】
ラミネートフィルムＳ５３は、図２１に示したように、幅寸法がＤ５３（＝Ｄ５１ｃ、Ｄ５２ｃ）ｃの第１帯状部分Ｓ５３ａと、該第１帯状部分Ｓ５３ａの上縁から鋭角的に折り曲げられた幅寸法がＤ５３の第２帯状部分Ｓ５３ｂと、該第２帯状部分Ｓ５３ｂの下縁から鋭角的に折り曲げられた幅寸法がＤ５３の第３帯状部分Ｓ５３ｃと、該第３帯状部分Ｓ５３ｃの上縁から鋭角的に折り曲げられた幅寸法がＤ５３ｃの第４帯状部分Ｓ５３ｄとを有している。このラミネートフィルムＳ５３は、上面側にイージーピールフィルムを有している。
【００８２】
各ラミネートフィルムＳ５１、Ｓ５２及びＳ５３には、一面側に公知のイージーピールフィルムを有する公知のラミネートフィルム、例えば、（１）他面側から一面側に向けて、透明蒸着二軸延伸ポリエステルフィルムと、接着剤層と、二軸延伸ナイロンフィルムと、接着剤層と、イージーピールフィルムとが並ぶラミネートフィルムや、（２）他面側から一面側に向けて、二軸延伸ポリエステルフィルムと、接着剤層と、アルミニウム箔と、接着剤層と、二軸延伸ナイロンフィルムと、接着剤層と、イージーピールフィルムとが並ぶラミネートフィルム、等を適宜使用することができる。
【００８３】
図２０に示した２つの横方向シール部５１ｄは、図２２（Ａ）に示したように、（１）ラミネートフィルムＳ５１の第１帯状部分Ｓ５１ａのイージーピールフィルム側の面と、ラミネートフィルムＳ５３の第１帯状部分Ｓ５３ａのイージーピールフィルム側の面とを帯状にヒートシールし、（２）ラミネートフィルムＳ５２の第１帯状部分Ｓ５２ａのイージーピールフィルム側の面と、ラミネートフィルムＳ５３の第４帯状部分Ｓ５３ｄのイージーピールフィルム側の面とを帯状にヒートシールすること、によって形成されている。
【００８４】
また、図２０に示した２つの縦方向シール部５１ａ及び５１ｂと区画シール部５１ｃは、図２２（Ｂ）及び図２２（Ｃ）に示したように、（１）ラミネートフィルムＳ５１の本体部分のイージーピールフィルム側の面とラミネートフィルムＳ５２の本体部分のイージーピールフィルム側の面を部分的に帯状にヒートシールし、（２）ラミネートフィルムＳ５３の第２帯状部分Ｓ５３ｂのイージーピールフィルム側の面と第３帯状部分Ｓ５３ｃのイージーピールフィルム側の面とを部分的に帯状にヒートシールすること、によって形成されている。
【００８５】
図２２（Ｃ）及び図２２（Ｄ）から分かるように、図２０に示した収納袋５０において２つの縦方向シール部５１ａ及び５１ｂと区画シール部５１ｃが形成されていない部分にあっては、（１）ラミネートフィルムＳ５１の本体部分のイージーピールフィルム側の面とラミネートフィルムＳ５２の本体部分のイージーピールフィルム側の面とは接合しておらず、（２）ラミネートフィルムＳ５３の第２帯状部分Ｓ５３ｂのイージーピールフィルム側の面と第３帯状部分Ｓ５３ｃのイージーピールフィルム側の面とは接合していない。
【００８６】
即ち、図２０に示した収納袋５０にあっては、縦方向シール部５１ａと区画シール部５１ｃと２つの横方向シール部５１ｄとによって囲まれた上縁開口（５２ａ１）の内部空間が収納室５２ａとなっており、縦方向シール部５１ｂと区画シール部５１ｃと２つの横方向シール部５１ｄとによって囲まれた上縁開口（５２ｂ１）の内部空間が収納室５２ｂとなっている。
【００８７】
また、図２０に示した収納袋５０にあっては、該収納袋５０の下辺部分に、（１）ラミネートフィルムＳ５１の第１帯状部分Ｓ５１ａとラミネートフィルムＳ５３の第１帯状部分Ｓ５３ａとによって構成された帯状の操作片５３ａが区画シール部５１ｃを横切るように、且つ、外側に向けて突出するように存在し、（２）ラミネートフィルムＳ５２の第１帯状部分Ｓ５２ａとラミネートフィルムＳ５３の第４帯状部分Ｓ５３ｄとによって構成された帯状の操作片５３ｂが区画シール部５１ｃを横切るように、且つ、外側に向けて突出するように存在し、（３）２つの操作片５３ａ及び５３ｂの間に、ラミネートフィルムＳ５３の第２帯状部分Ｓ５３ｂと第３帯状部分Ｓ５３ｃとによって構成された剥離制限片５４が区画シール部５１ｃを横切るように、且つ、外側に向けて突出するように存在している。先に述べたように、両操作片５３ａ及び５３ｂは２つの縦方向シール部５１ａ及び５１ｂと区画シール部５１ｃの一部を含んでおり、また、剥離制限片５４は２つの縦方向シール部５１ａ及び５１ｂと区画シール部５１ｃの一部を含んでいる。
【００８８】
図２０に示した収納袋５０は、「非利用時は混合を要せず、且つ、利用時に混合を要する」といった条件を満足する２種類の内容物Ｘ及びＹ（図２３を参照）を２つの収納室５２ａ及び５２ｂに個別に収納する用途に適している。両内容物Ｘ及びＹとしては、例えば、（１）化粧水とこれを染み込ませるためのパフや、（２）２液混合タイプの毛染め剤の２液や、（３）２液混合タイプのエポキシ系接着剤等の接着剤の２液、等を挙げることができるが、「非利用時は混合を要せず、且つ、利用時に混合を要する」といった条件を満足するものであれば両内容物Ｘ及びＹに特段の制限はない。
【００８９】
収納室５２ａに内容物Ｘを収納し、且つ、収納室５２ｂに内容物Ｙを収納した後は、図２３に示したように、該両収納室５２ａ及び５２ｂの開口５２ａ１及び５２ｂ１を閉じるための横方向シール部５１ｅを収納袋５０に形成する。
【００９０】
利用時に両内容物Ｘ及びＹを混合するときには、図２４（Ａ）に示したように、２つの操作片５３ａ及び５３ｂを指先で把持できるように広げてから、図２２（Ｂ）に示したように、該２つの操作片５３ａ及び５３ｂの好ましくは区画シール部５１ｃに近い部分を指先で把持してこれらを異なる方向に引っ張る。この引っ張りによって区画シール部５１ｃに剥離力が付与され、該剥離力に基づき該区画シール部５１ｃが局部的に剥離し、該剥離箇所５５を通じて両収納室５２ａ及び５２ｂが相互に連通する。具体的には、前記引っ張りによって区画シール部５１ｃの剥離制限片５４よりも上側部分が剥離し、且つ、該剥離制限片５４に存する区画シール部５１ｃの一部が剥離して、前記剥離箇所５５が形成される。
【００９１】
剥離制限片５４はラミネートフィルムＳ５３の第２帯状部分Ｓ５３ｂと第３帯状部分Ｓ５３ｃとによって構成されているため、該剥離制限片５４に存する区画シール部５１ｃの一部の剥離は、該剥離制限片５４自らの剥離限界、つまり、第２帯状部分Ｓ５３ｂと第３帯状部分Ｓ５３ｃが直線状になることによって制限される。要するに、剥離制限片５４は前記剥離箇所５５の大きさを制限する役目を果たすことになるため、前記２つの操作片５３ａ及び５３ｂの引っ張り方に拘わらず、該剥離箇所５５を適当な大きさとすることができる。
【００９２】
剥離箇所５５を通じて両収納室５２ａ及び５２ｂが相互に連通した後は、収納袋５０を傾けることによって収納室５２ａに収納されていた内容物Ｘを剥離箇所５５を通じて収納室５２ｂに入り込ませるか、或いは、収納室５２ｂに収納されていた内容物Ｙを剥離箇所５５を通じて収納室５２ａに入り込ませることによって、両内容物Ｘ及びＹを混合させることができる。
【００９３】
両内容物Ｘ及びＹを混合させた後は、各収納室５２ａ及び５２ｂを選択的に開封することによって、混合後の両内容物Ｘ及びＹを収納室５２ａ及び５２ｂの一方から取り出すことができる。例えば、各収納室５２ａ及び５２ｂに対応した２つのノッチ（図示省略）を収納袋５０に予め設けておけば、該ノッチを利用して各収納室５２ａ及び５２ｂの選択的な開封を容易に行えると共に、混合後の両内容物Ｘ及びＹを収納室５２ａ及び５２ｂの一方から的確に取り出すことができる。
【００９４】
因みに、利用時には前記引っ張り操作によって区画シール部５１ｃを局部的に剥離できるようにし、しかも、非利用時には外部から圧力が付加されても区画シール部５１ｃが局部的に剥離することを防止できるようにするには、両内容物Ｘ及びＹの種類や利用者の年齢層を考慮の上で、区画シール部３１ｃの剥離強度を２．５〜１９．６Ｎ／１５ｍｍ、好ましくは４．９〜８．８Ｎ／１５ｍｍに設定すると良い。
【００９５】
このように、前記収納袋５０によれば、２枚のラミネートフィルムＳ５１及びＳ５２の一部から成る２つの操作片５３ａ及び５３ｂが区画シール部５１ｃを横切るように、且つ、外側に向けて突出するように設けられているため、該２つの操作片５３ａ及び５３ｂを異なる方向に引っ張って区画シール部５１ｃに剥離力を付与することによって、該剥離力に基づき該区画シール部５１ｃを局部的に剥離させ、該剥離箇所５５を通じて両収納室５２ａ及び５２ｂを相互を連通させることができる。要するに、区画シール部５１ｃを局部的に剥離させて該剥離箇所５５を通じて収納室５２ａ及び５２ｂ相互を連通させる操作を簡単、且つ、確実に行うことができる。
【００９６】
また、前記収納袋５０によれば、２つの操作片５３ａ及び５３ｂが外側に向けて突出するように、しかも、該２つの操作片５３ａ及び５３ｂが収納袋５０の下辺部分に設けられているので、前記操作を行うに際して該２つの操作片５３ａ及び５３ｂを簡単に見付けることができると共に、該２つの操作片５３ａ及び５３ｂを引っ張る操作をも容易に行うことができる。
【００９７】
さらに、前記収納袋５０によれば、２つの操作片５３ａ及び５３ｂの間に、区画シール部５１ｃの一部を含む剥離制限片５４が該２つの操作片５３ａ及び５３ｂと連続するように設けられているため、該２つの操作片５３ａ及び５３ｂを異なる方向に引っ張って該区画シール部５１ｃに局部的に剥離箇所５５を形成するときに、該剥離制限片５４自らの剥離限界によって該剥離箇所５５の大きさを制限することができる。要するに、剥離制限片５４は剥離箇所５５の大きさを制限する役目を果たすことになるため、２つの操作片５３ａ及び５３ｂの引っ張り方に拘わらず、該剥離箇所５５を適当なの大きさとすることができ、これにより収納室５２ａ及び５２ｂ相互の連通を安定に行うことができる。
【００９８】
尚、図２０には２つの収納室５２ａ及び５２ｂの大きさ（容積）を略同じにしたものを示したが、図７に示したものと同様に、区画シール部５１ｃの形成位置を横方向にずらせば、大きさ（容積）が異なる２つの収納室５２ａ及び５２ｂを備えた収納袋を得ることができる。
【００９９】
また、図２０には２つの収納室５２ａ及び５２ｂが区画シール部５１ｃを介して横方向に連設されたものを示したが、図８に示したものと同様に、区画シール部５１ｃの数を１から２に増加すれば、３つの収納室が区画シール部５１ｃを介して横方向に連設された収納袋を得ることができる。この収納袋によれば、２つの操作片５３ａ及び５３ｂの引っ張り位置を変えることによって２つの区画シール部５１ｃに選択的に剥離箇所５５を形成することが可能であるため、隣接する２つの収納室のみを相互連通させることも可能である。勿論、区画シール部５１ｃの数を３以上として、４以上の収納室が該区画シール部５１ｃを介して横方向に連設された収納袋を得るようにしても良い。
【０１００】
［他の実施形態］
（１）前記収納袋１０、２０、３０及び４０として２枚のラミネートフィルム（Ｓ１１及びＳ１２、Ｓ３１及びＳ３２、Ｓ４１及びＳ４２）から構成されたものを示し、前記収納袋５０として３枚のラミネートフィルム（Ｓ５１、Ｓ５２及びＳ５３）から構成されたものを示したが、該各収納袋１０、２０、３０、４０及び５０は１枚のラミネートフィルムから構成することもできる。
【０１０１】
例えば、前記収納袋１０及び２０にあっては、ラミネートフィルムＳ１１の第５帯状部分Ｓ１１ｅの下縁とラミネートフィルムＳ１２の第１帯状部分Ｓ１２ａの下縁とが連続したような１枚のラミネートフィルムを用意すれば、同様の収納袋を構成することができる。この場合、２枚のラミネートフィルムＳ１１及びＳ１２を接続するための横方向シール部１１ｄを必ずしも設ける必要はない。
【０１０２】
また、前記収納袋３０にあっては、ラミネートフィルムＳ３１の第５帯状部分Ｓ３１ｅの前縁とラミネートフィルムＳ３２の第１帯状部分Ｓ３２ａの前縁とが連続したような１枚のラミネートフィルムを用意すれば、同様の収納袋を構成することができる。この場合、２枚のラミネートフィルムＳ３１及びＳ３２を接続するための横方向シール部３１ｄを必ずしも設ける必要はない。
【０１０３】
さらに、前記収納袋４０にあっては、ラミネートフィルムＳ４１の第３帯状部分Ｓ４１ｃの前縁とラミネートフィルムＳ４２の第１帯状部分Ｓ４２ａの前縁とが連続したような１枚のラミネートフィルムを用意すれば、同様の収納袋を構成することができる。この場合、２枚のラミネートフィルムＳ４１及びＳ４２を接続するための横方向シール部４１ｄを必ずしも設ける必要はない。
【０１０４】
さらに、前記収納袋５０にあっては、ラミネートフィルムＳ５１の第１帯状部分Ｓ５１ａの下縁とラミネートフィルムＳ５３の第１帯状部分Ｓ５３ａの下縁とが連続し、且つ、ラミネートフィルムＳ５３の第４帯状部分Ｓ５３ｄの下縁とラミネートフィルムＳ５２の第１帯状部分Ｓ５２ａの下縁とが連続したような１枚のラミネートフィルムを用意すれば、同様の収納袋を構成することができる。この場合、３枚のラミネートフィルムＳ５１、Ｓ５２及びＳ５３を接続するための２つの横方向シール部５１ｄを必ずしも設ける必要はない。
【０１０５】
（２）前記収納袋１０、２０、３０、４０及び５０として輪郭が矩形を成すものを示したが、特許請求の範囲の各請求項の記載に包含されるものであれば、各収納袋１０、２０、３０、４０及び５０の輪郭は円形や楕円形や多角形等の他の形状であっても良い。
【符号の説明】
【０１０６】
１０，１０-1，１０-2，２０，３０，４０，５０…収納袋、Ｓ１１，Ｓ１２，Ｓ３１，Ｓ３２，Ｓ４１，Ｓ４２，Ｓ５１，Ｓ５２，Ｓ５２…ラミネートフィルム、１１ｃ，２１ｃ，３１ｃ，４１ｃ，５１ｃ…区画シール部、１２ａ，１２ｂ，１２ｃ，２２ａ，２２ｂ，３２ａ，３２ｂ，４２ａ，４２ｂ，５２ａ，５２ｂ…収納室、１３ａ，１３ｂ，２３ａ，２３ｂ，３３ａ，３３ｂ，４３ａ，４３ｂ，５３ａ，５３ｂ…操作片、１４，２４，３４，５４…剥離制限片、１５，３５，４５，５５…剥離箇所。
【図１】
0005727185.tif 000002
【図２】
0005727185.tif 000003
【図３】
0005727185.tif 000004
【図４】
0005727185.tif 000005
【図５】
0005727185.tif 000006
【図６】
0005727185.tif 000007
【図７】
0005727185.tif 000008
【図８】
0005727185.tif 000009
【図９】
0005727185.tif 000010
【図１０】
0005727185.tif 000011
【図１１】
0005727185.tif 000012
【図１２】
0005727185.tif 000013
【図１３】
0005727185.tif 000014
【図１４】
0005727185.tif 000015
【図１５】
0005727185.tif 000016
【図１６】
0005727185.tif 000017
【図１７】
0005727185.tif 000018
【図１８】
0005727185.tif 000019
【図１９】
0005727185.tif 000020
【図２０】
0005727185.tif 000021
【図２１】
0005727185.tif 000022
【図２２】
0005727185.tif 000023
【図２３】
0005727185.tif 000024
【図２４】
0005727185.tif 000025